(57)【要約】      （修正有）【課題】少なくとも従来よりも２日以上日持ちする包装されたカットパイナップルを提供する。【解決手段】包装されたカットパイナップルは、外皮を除き、所定の大きさにカットされた生のパイナップル２０であって、この生のカットパイナップル２０を、酸素透過度０．５ｃｃ／（ｍ２・ｄ・ａｔｍ）以下、水蒸気透過度０．３ｇ／（ｍ２・ｄ・ａｔｍ）以下のバリア性のあるシリカ蒸着膜、アルミナ蒸着膜、アルミ蒸着膜などのＰＥＴフィルムを用いた包装材からなる包装袋２１の中に密封する。【選択図】図１
0003203107.tif 000002
【実用新案登録請求の範囲】
【請求項１】
外皮を除き、所定の大きさにカットされた生のパイナップルであって、この生のカットパイナップルを、酸素透過度０．５ｃｃ／（ｍ２・ｄ・ａｔｍ）以下、水蒸気透過度０．３ｇ／（ｍ２・ｄ・ａｔｍ）以下の包装材からなる包装袋の中に密封したことを特徴とする包装されたカットパイナップル。
【請求項２】
包装材は、基材フィルムにバリア性のあるシリカ蒸着膜を形成した厚さ数十ミクロンの透明体からなる請求項１記載の包装されたカットパイナップル。
【請求項３】
包装材は、基材フィルムにバリア性のあるアルミナ蒸着膜を形成した厚さ数十ミクロンの透明体からなる請求項１記載の包装されたカットパイナップル。
【請求項４】
包装材は、基材フィルムにバリア性のあるアルミ蒸着膜を形成した厚さ数十ミクロンの透明体からなる請求項１記載の包装されたカットパイナップル。
【考案の詳細な説明】
【技術分野】
【０００１】
本考案は、外皮を除き所定の大きさにカットされた生のカットパイナップルが可能な限り長い間、変色したり、臭気を発生したり、菌数が増殖したりすることのないようにした包装されたカットパイナップルに関するものである。
【背景技術】
【０００２】
生のカットパイナップルが製造された日から所定の日数だけ日持ちするようにする方法には、包装容器内にカットフルーツなどの食品を収容し、蓋体で密閉する方法（特許文献１）、容器に食品を収容し、トップシールで密閉する方法（特許文献２）など種々提案されている。
前記特許文献１に示す方法は、図５に示すように、包装容器１０を構成する容器本体１１の食品収容部１２に、カットフルーツなどの食品１３を収容し、開口部１４に蓋体１５を被せ、蓋体１５の嵌合部１６を開口部１４に嵌合することによって閉蓋する。開口部１４と嵌合部１６の嵌合構造は、下方に膨出された凸条を有する嵌合部１６を開口部１４に、嵌め入れるようにしたものである。
【０００３】
前記特許文献２に示す方法は、図６に示すように、容器１７に食品１８を収容し、開口部の周縁部にトップシール１９を熱溶着等により密閉したものである。
【先行技術文献】
【特許文献】
【０００４】
【特許文献１】実用新案登録第３１３４３１１号公報。
【特許文献２】実用新案登録第３１２８４３０号公報。
【考案の概要】
【考案が解決しようとする課題】
【０００５】
パイナップルの外皮を除去し、所定の大きさにカットしたカットパイナップルは、糖度が１３〜１６度と高く、ｐＨが５前後、酸度が０．６５〜１．１程度であり、また、カットパイナップルは、他のフルーツに比較して、菌数が１０〜１０３ｃｆｕ／ｇ多く、酵母を多く内在しているため、糖度が高いことと相俟って、製造後の経過や温度付加により、果肉に目に見える酵母（白点）が出現しやすく、発酵を起こしやすいという特性を有している。
【０００６】
ちなみに、カットパイナップルは、特許文献１及び２に記載の従来方法で包装した場合、図３に示すように、製造直後（Ｄ＋０）から製造後２日（Ｄ＋２）又は製造後３日（Ｄ＋３）までが消費期限であり、製造後４日（Ｄ＋４）になると、発酵臭が生じ、果肉が変色し、さらに、製造後５日（Ｄ＋５）以降になると、菌数過多になる。
また、包装形態別菌数（５検体の平均、１０℃）は、特許文献１及び２に記載の従来方法で包装した場合、図４の点線グラフのように変化し、製造後４日（Ｄ＋４）で１０５ｃｆｕ／ｇを越えることが分かった。
なお、カット野菜の菌数の基準は、１０５ｃｆｕ／ｇとされているので、これに準じたものである。
【０００７】
本考案は、少なくとも従来よりも２日以上日持ちする包装されたカットパイナップルを提供することを目的とするものである。
【課題を解決するための手段】
【０００８】
本考案による包装されたカットパイナップルは、外皮を除き、所定の大きさにカットされた生のパイナップル２０であって、この生のカットパイナップル２０を、酸素透過度０．５ｃｃ／（ｍ２・ｄ・ａｔｍ）以下、水蒸気透過度０．３ｇ／（ｍ２・ｄ・ａｔｍ）以下の包装材２８からなる包装袋２１の中に密封する。
【０００９】
この包装材２８は、例えば、基材フィルム２２にバリア性のあるシリカ蒸着膜２３を形成した厚さ数十ミクロンの透明体からなる。
また、酸素透過度０．５ｃｃ／（ｍ２・ｄ・ａｔｍ）以下、水蒸気透過度０．３ｇ／（ｍ２・ｄ・ａｔｍ）以下の包装材２８であれば、シリカ蒸着膜に代えてアルミナ蒸着膜又はアルミ蒸着膜であってもよい。
【考案の効果】
【００１０】
請求項１記載の考案によれば、包装されたカットパイナップルは、外皮を除き、所定の大きさにカットされた生のパイナップルであって、この生のカットパイナップルを、酸素透過度０．５ｃｃ／（ｍ２・ｄ・ａｔｍ）以下、水蒸気透過度０．３ｇ／（ｍ２・ｄ・ａｔｍ）以下の包装材からなる包装袋の中に密封したので、カットパイナップルは、製造直後（Ｄ＋０）から製造後６．５日（Ｄ＋６．５）を経過しても、発酵臭が生じず、果肉が変色せず、さらに、菌数過多になることはない。
また、包装袋の中から真空で空気を抜くと、カットパイナップルの果肉内の空気も抜いて、細胞内に水が入り、果肉が透明になるが、包装袋の中から強制的に空気を抜くことがないので、細胞が壊れることもない。
さらに、包装袋に窒素ガスを封入するようなコスト高になることもない。
【００１１】
請求項２，３又は４記載の考案によれば、包装材は、基材フィルムにバリア性のあるシリカ蒸着膜、アルミナ蒸着膜又はアルミ蒸着膜を形成した厚さ数十ミクロンの透明体からなるので、安価な材料で菌数増殖、発酵臭の発生、果肉変色を抑制できる。
【図面の簡単な説明】
【００１２】
【図１】本考案による包装されたカットパイナップルの実施例１を示す正面図である。
【図２】本考案による包装されたカットパイナップルの包装材の断面図である。
【図３】本考案による包装されたカットパイナップルと従来方法により包装されたパイナップルの経時変化の特性説明図である。
【図４】本考案による包装されたカットパイナップルと従来方法により包装されたパイナップルの包装形態菌数変化の特性線図である。
【図５】特許文献１に記載された従来方法の断面図である。
【図６】特許文献２に記載された従来方法の断面図である。
【考案を実施するための形態】
【００１３】
本考案は、熟したパイナップルの外皮を除き、所定の大きさにカットして生のパイナップルを製造する。この生のカットパイナップル２０は、厚さ１７ｍｍ程度にカットしたものを例示しているが、カットする大きさに限定されるものではなく、外皮のみをカットした丸のままのパイナップルも含むものとする。この生のカットパイナップル２０を、酸素透過度０．５ｃｃ／（ｍ２・ｄ・ａｔｍ）以下、水蒸気透過度０．３ｇ／（ｍ２・ｄ・ａｔｍ）以下の包装材２８からなる包装袋２１の中に密封する。
【００１４】
前記包装材２８は、例えば、ＰＥＴフィルム基材２２にシリカ蒸着膜２３を形成した厚さ数十ミクロンの透明体のシリカ蒸着ＰＥＴフィルムからなるものが用いられる。
また、酸素透過度０．５ｃｃ／（ｍ２・ｄ・ａｔｍ）以下、水蒸気透過度０．３ｇ／（ｍ２・ｄ・ａｔｍ）以下の包装材２８であれば、シリカ蒸着膜に代えてアルミナ蒸着膜又はアルミ蒸着膜であってもよい。
【実施例１】
【００１５】
図１において、２０は、透明なカットパイナップルで、このカットパイナップル２０は、外皮をカットしたパイナップルを２０ｇ程度に生の状態でカットしたものである。このカットパイナップル２０は、６〜７個を下端部にマチの入ったスタンドパックタイプの包装袋２１に収納し、この包装袋２１の周縁部が熱溶着による熱溶着部２４とし、この熱溶着部２４の両側部には、切断用の切り込み溝２５が形成される。
この包装材２８は、酸素透過度０．５ｃｃ／（ｍ２・ｄ・ａｔｍ）以下、水蒸気透過度０．３ｇ／（ｍ２・ｄ・ａｔｍ）以下の特性を有するものからなる。具体的には、図２に示すように、ＰＥＴ基材フィルム２２の一方の面にシリカ蒸着膜２３を形成した、トップコートなしのバリア性のあるフィルムで、厚さは、６０ミクロン程度の透明体のシリカ蒸着ＰＥＴフィルムからなるものが用いられる（製品名：三菱樹脂株式会社製「テックバリアＬ及びテックバリアＬＳ」）。
【００１６】
このような構成の包装されたカットパイナップル２０は、その経時変化を見てみると、図３に示すように、製造後６．５日（Ｄ＋６．５）でも発酵臭、果肉変色は見られず、また、発酵菌数は、図４に示すように、製造後６．５日（Ｄ＋６．５）で、洋生菓子の衛生規範３．製品基準．細菌数の基準１０５ｃｆｕ／ｇ以下であった。
【００１７】
前記実施例では、前記包装材２８は、ＰＥＴフィルム基材２２にシリカ蒸着膜２３を形成した厚さ数十ミクロンの透明体のシリカ蒸着ＰＥＴフィルムからなるものが用いたが、これに限られるものではなく、酸素透過度０．５ｃｃ／（ｍ２・ｄ・ａｔｍ）以下、水蒸気透過度０．３ｇ／（ｍ２・ｄ・ａｔｍ）以下の包装材２８であれば、アルミナ蒸着膜又はアルミ蒸着膜であってもよい。
【符号の説明】
【００１８】
１０…包装容器、１１…容器本体、１２…食品収容部、１３…食品、１４…開口部、１５…蓋体、１６…嵌合部、１７…容器、１８…食品、１９…トップシール、２０…カットパイナップル、２１…包装袋、２２…ＰＥＴ基材フィルム、２３…シリカ蒸着膜、２４…熱溶着部、２５…切り込み溝、２８…包装材。
【図１】
0003203107.tif 000003
【図２】
0003203107.tif 000004
【図３】
0003203107.tif 000005
【図４】
0003203107.tif 000006
【図５】
0003203107.tif 000007
【図６】
0003203107.tif 000008